(57)【要約】【課題】        予約運転時に、米の浸水時間を管理できる炊飯器を提供すること。【解決手段】    着脱式給水タンクを炊飯器蓋上部に設置し、注水機能を備えた蓋により、予約運転時に、炊飯開始の所定時間前までは、釜への水の注入を行わないので、浸水時間を管理することができ、浸水時間を一定にした炊飯条件を決めることができる。【選択図】      図２
2006136693.tif 000002
【特許請求の範囲】
【請求項１】
炊飯器に着脱自在の給水タンクを蓋上部に備え、予約運転時には、炊飯開始の所定時間までは、米と水を分けて管理してなる炊飯器。
【請求項２】
炊飯器内蓋および蓋内側に吐水をするための穴を中心に設け、その穴を開閉する止水弁を設けた請求項１に記載の炊飯器。
【請求項３】
炊飯器蓋上部には給水タンクを挿入する差込口があり、前記差込口と、炊飯器蓋内側の吐水口が、水が漏れないようチューブ状に繋がっている形状を蓋内部に設けた請求項１および請求項２の炊飯器。
【請求項４】
止水弁は予約開始時間前は、蓋内部のバネにより内蓋パッキンに押し付けられ密着し、他方、蓋内側のパッキンに密着し水を漏らさない形状の止水弁および蓋および内蓋を有する請求項１乃至３の炊飯器。
【請求項５】
予約開始時間になると、炊飯器制御手段がモーターを駆動し、前記止水弁を釜内部に下げ、給水タンク内の水を釜の中に吐水する機能を設けた請求項１乃至４の炊飯器。
【請求項６】
吐水が終了すると、炊飯器制御手段がモーターを駆動し、前記止水弁を釜上部に上げ、内蓋に密着させ、釜の空気を前記差込口から外に出さない機能を設けた請求項１乃至５の炊飯器。
【請求項７】
給水タンク蓋に、逆さにしても水が漏れない弁および、、炊飯器蓋上部の差込口に差し込んだときに差込口から水が漏れない形状を有する請求項１乃至請求項６の炊飯器。
【請求項８】
給水タンクを炊飯器蓋上部の差込口に接続したときに、給水タンクより水が炊飯器へ流出するように、空気抜き穴を持つ給水タンクを有する請求項１乃至請求項７の炊飯器。
【発明の詳細な説明】
【技術分野】
【０００１】本発明は、一般家庭で使用し、水の自動投入を行う炊飯器に関するものである。
【背景技術】
【０００２】従来の炊飯器は、炊飯器本体に、米と水を入れて炊く釜と、金属製の内蓋およびプラスチック製の蓋と、炊飯器操作部を具備する炊飯器制御手段とを有している。使用者は、釜に所望の合数の米と、釜の内側に表示された目盛り線に合わせて米量に応じた量の水を入れ、蓋を閉めて、炊飯器操作部の操作によって炊飯を開始する。操作を受けて炊飯器制御手段が所定のシーケンスで加熱手段を作動させる。予約運転の場合は、使用者が炊飯器操作部を用いて所望の時間あるいは時刻に炊飯が開始あるいは終了するようにタイマー時間を設定、予約する。
【発明が解決しようとする課題】
【０００３】米に水を給水させるために、浸水時間は３０分から２時間が適当とされる。しかし、このような従来の炊飯器では、予約運転の場合には、夜に仕掛けて、翌朝に炊飯という場合が多々あり、８時間以上、米と水を共に釜に入れていることもある。米を長時間水に浸けておくと、常温では、米の吸水量は浸水時間２時間までは増加し、また、米の固形分の水への溶出量は浸水時間６時間までは増加するといわれている。したがって、米の吸水量、固形分の溶出量を適当な時間にすることが望ましいが、従来の炊飯器では浸水時間を一定にはできないという課題を有していた。また、米と水を分けて管理し、所定時間に釜の蓋をあけて投入するという従来の発明があったが、発明品が大きく、また、コストが掛かるという難点があった。
【０００４】
【特許文献１】特許公開番号  特許公開２００１−２５２１８５
【課題を解決するための手段】
【０００５】上記の課題を解決するために、本発明では、給水タンクを設けて、予約運転時には、炊飯開始前までは、水と米に分かれており、米の浸水時間を管理するものである。また、給水タンクを蓋上部に設置し給水タンクなどの設備を省略し、発明品の大きさおよびコストを最小限にとどめるものである。
【発明を実施するための最良の形態】
【０００６】請求項１の発明は、蓋上部の給水タンク１の水３と、予め釜５に入れておいた無洗米または洗って水切りした米１２を、予約運転時には分けておくことができ、給水タンクの水３を所定の時間に釜５に注水し、米の浸水時間を管理することができる。【０００７】請求項２および請求項３に記載の発明は、図２の蓋部断面図および図３の内蓋説明図により説明する。内蓋６はドーナツ型で中心部に穴があいており、ここに止水弁７が収まる。符号８は給水タンクキャップ１３を挿入する差込口であり、図２のとおり蓋内側吐水口９とチューブ状に繋がっている。ここを水が通り蓋内側吐水口９より釜５内に注入される。【０００８】請求項４は図２図４および図５により説明する。図４は弁７を外し、蓋２を内側から見た図である。図５は止水弁７の説明図である。水は吐水口９をはさむパッキン１０と止水弁７により図２の斜線部分１１に止まり、止水弁７が下るまで釜５内部に水３が入ることはない。止水弁７はバネ１６によりパッキン１０に圧着されている。止水弁には蓋および内蓋に圧着するよう溝２２が有る。止水弁の軸は符号２３に位置する。【０００９】請求項５は図６により説明する。図６は止水弁７が開いた状態である。止水弁７が下がり、ここで水がはじめて釜５の中にはいる。止水弁７に設けられた複数の羽１７により、水３が満遍なく釜５の中に行き渡る。加熱の３０分から２時間前に注水することが望ましい。短いと固め、長いとやわらかめに炊きあがる傾向があるが、炊飯器操作部１９を押し、炊飯器制御手段１８により調整が可能である。従来の発明では、給水ポンプで注水していたのだが、装置が大きくなりがちで、また、購入費用も掛かっていたのだが、本発明により改善された。米は、洗って水切りした米もしくは無洗米（符号１２）。【００１０】請求項６は図２により説明する。吐水が終了すると、炊飯器制御手段１８がモーター１５を駆動し、止水弁を釜上部に上げ、内蓋６に密着させ、釜５の空気を外に出さない。【００１１】給水タンク１のキャップ部分１３には図２および図７のとおり、給水タンク差込口８挿入時に逆さにしても水がこぼれないよう弁１４がある。また、給水タンクのキャップ１３および給水タンク差込口８は水がもれない形状としてある。（図２および図７）【００１２】給水タンク１には図７のとおり、キャップ１３を上にしたときに下から合数に合わせた水量の目盛２１が有る。給水タンク１は誤差が少ないように縦長の形状である。また、好みにより給水タンク１に目盛を書き込めるのも利点である。また、給水タンク１を炊飯器蓋部２に接続したときに、水が炊飯器に流れ込むように、給水タンクに空気抜き穴２０が設けてある。また、持ち上げやすいように給水タンクには取っ手２４が有る。
【発明の効果】
【００１３】以上のように、請求項１に記載の発明によれば、蓋上給水タンクの水を所定の時間に炊飯器の釜に注入することができ、米の浸水時間を管理することができる。
【００１４】また、請求項２に記載の発明によれば、吐水口より吐出した給水タンクの水を、止水弁により、釜内に満遍なく行き渡らせることができる。
【００１５】また、請求項３に記載の発明により、蓋上の給水タンクの水を漏らすことなく蓋内側の吐水口まで導くことができる。
【００１６】また、請求項４に記載の発明により、予約開始時間まで水を釜に入れずに米と分けて管理することができる。
【００１７】また、請求項５に記載の発明により、止水弁と蓋内側パッキンにて止められていた水を釜内に注入することができる。
【００１８】また、請求項６に記載の発明により、釜の空気を密閉し、釜の中の圧力を逃がさないで炊飯することができる。
【００１９】また、請求項７に記載の発明により、給水タンクを炊飯器蓋差込口に接続するとき、または、接続中に差込口から水を漏れないようにすることができる。
【００２０】また、請求項８に記載の発明により、給水タンクより炊飯器へ水が流れ込むようにすることができる。
【図面の簡単な説明】
【００２１】
【図１】  炊飯器説明図
【図２】  炊飯器断面図
【図３】  内蓋説明図
【図４】  蓋内側形状説明図
【図５】  止水弁説明図
【図６】  止水弁が開いたときの水の流れの説明図
【図７】  給水タンク説明図
【符号１】
給水タンク
【符号２】
蓋
【符号３】
水
【符号４】
炊飯器
【符号５】
釜
【符号６】
内蓋
【符号７】
止水弁
【符号８】
給水タンク差込口
【符号９】
蓋内側吐水口
【符号１０】
パッキン
【符号１１】
止水弁が閉じたときに水がたまる部分（斜線部分）
【符号１２】
無洗枚または洗って水切した米
【符号１３】
給水タンクキャップ
【符号１４】
給水タンクキャップ内の弁
【符号１５】
モーター
【符号１６】
バネ
【符号１７】
止水弁の羽
【符号１８】
炊飯器制御手段
【符号１９】
炊飯器操作部
【符号２０】
空気抜き穴
【符号２１】
目盛
【符号２２】
止水弁の溝
【符号２３】
止水弁の軸の位置
【符号２４】
給水タンクの取っ手
【図１】
2006136693.tif 000003
【図２】
2006136693.tif 000004
【図３】
2006136693.tif 000005
【図４】
2006136693.tif 000006
【図５】
2006136693.tif 000007
【図６】
2006136693.tif 000008
【図７】
2006136693.tif 000009